(57)【特許請求の範囲】
【請求項１】
画像データに基づき、通常の印刷又は縁なし印刷により記録媒体に画像を形成できる画像形成手段を有する画像形成装置において、
１ページ単位で、縁なし印刷情報を出力することができる縁なし印刷情報出力手段と、
前記縁なし印刷情報の出力に応答して、１ページ単位でフルブリード印刷制御を行わせる制御手段を備え、
前記縁なし印刷情報出力手段は、
１ページ単位で、前記画像形成手段の画像形成作動における主走査方向及び副走査方向について、記録媒体のサイズと前記記録媒体に形成される画像のサイズのそれぞれの長さを比較し、
主走査方向又は副走査方向の何れか一方の前記画像のサイズの長さが前記記録媒体のサイズの長さより大きいと判断した場合に、前記縁なし印刷情報を出力すること
を特徴とする画像形成装置。
【請求項２】
通常の印刷時に実行する第１のクリーニングモードと縁なし印刷時に実行する第２のクリーニングモードを有するクリーニング手段を備え、
前記フルブリード印刷制御は、
前記制御手段が前記画像形成手段に対して前記縁なし印刷を実行させた場合に、前記クリーニング手段に対して前記第２のクリーニングモードを実行させること
を特徴とする請求項１に記載の画像形成装置。
【請求項３】
前記第２のクリーニングモードは、前記第１のクリーニングモードとは異なるクリーニング動作を実行すること
を特徴とする請求項２に記載の画像形成装置。
【発明の詳細な説明】
【技術分野】
【０００１】
本発明は、複写機、プリンタ、ファクシミリあるいはこれらの複合機としての画像形成装置に関し、特に、縁なし印刷ができる画像形成装置に関する。
【背景技術】
【０００２】
一般に、画像形成装置により記録媒体に画像を形成する場合は、記録媒体から画像がはみ出さないように考慮して、記録媒体の外周部に設けられた所定の余白の内側の領域に画像が形成されるようになっているが、最近では、カラー画像が形成できる画像形成装置で、例えば、カラーの葉書印刷を行わせる場合等においては、特に、記録媒体の全面に縁なしで印刷したいという要望が強い。
【０００３】
しかしながら、電子写真プロセスの画像形成装置においては、縁なし印刷（フルブリード印刷ともいう。）を実施した場合に、記録媒体である転写紙の全面に完全にトナー画像を転写することは極めて困難であり、転写紙からはみ出したトナー画像の一部が転写ローラ等の転写部に転移し、それが、次に画像を形成する転写紙の裏面や端面を汚して画像品位を落としてしまうという問題があった。
【０００４】
そこで、転写紙からトナー画像がはみ出すことにより画像に欠けが生じて画像の品位が低下したり、転写されなかったトナーによる汚れを防止するために、転写紙の搬送中の傾き等を含めた転写紙サイズを検出して、検出した転写紙サイズに対してトナー画像のズレを無くし、はみ出さないように、像担持体上の画像のサイズを変更するようにした装置（例えば、特許文献１）が提案されている。
【特許文献１】特開２００４−３４１０５１号公報
【発明の開示】
【発明が解決しようとする課題】
【０００５】
しかしながら、特許文献１は、搬送中の転写紙の傾き程度等を精度よく検出し、転写紙から画像がはみ出さないようにすることはできるが、特許文献１の技術では、縁なし印刷を実行した場合に、転写紙の外周の端面にトナーが付着しないようにすることはできないという問題がある。
【０００６】
また、例えば、縁なし印刷を実行した時は、通常の印刷で転写紙にトナー像を転写したときに転写ローラに付着したトナーより多いトナーが転写ローラに付着しているので、トナーで汚れた転写ローラをクリーニングするためには、通常の印刷を行った時に実行するクリーニング作動より多くのクリーニング作動を繰り返す等の処置が必要となるので、このクリーニング作動を行うためには、次に画像を形成する転写紙が転写ローラに到達するタイミングを遅らせて、十分なクリーニングが実行できる時間を作り出す必要がある。
【０００７】
そこで、結果として、転写紙の搬送間隔が広がって、通常の印刷時に比べて生産性が極端に落ちてしまうという問題があった。
【０００８】
本発明は、上記問題に鑑み、一連の画像形成作動を実行する場合に、通常の印刷と縁なし印刷が混在したような印刷ジョブに対して、生産性を低下させず高品位な画像形成ができる画像形成装置を提供することを目的とする。
【課題を解決するための手段】
【０００９】
本発明は、下記構成を採ることで上記目的を達成できる。
（１）
画像データに基づき、通常の印刷又は縁なし印刷により記録媒体に画像を形成できる画像形成手段を有する画像形成装置において、
１ページ単位で、縁なし印刷情報を出力することができる縁なし印刷情報出力手段と、
前記縁なし印刷情報の出力に応答して、１ページ単位でフルブリード印刷制御を行わせる制御手段を備え、
前記縁なし印刷情報出力手段は、
１ページ単位で、前記画像形成手段の画像形成作動における主走査方向及び副走査方向について、記録媒体のサイズと前記記録媒体に形成される画像のサイズのそれぞれの長さを比較し、
主走査方向又は副走査方向の何れか一方の前記画像のサイズの長さが前記記録媒体のサイズの長さより大きいと判断した場合に、前記縁なし印刷情報を出力すること
を特徴とする画像形成装置。
（２）
通常の印刷時に実行する第１のクリーニングモードと縁なし印刷時に実行する第２のクリーニングモードを有するクリーニング手段を備え、
前記フルブリード印刷制御は、
前記制御手段が前記画像形成手段に対して前記縁なし印刷を実行させた場合に、前記クリーニング手段に対して前記第２のクリーニングモードを実行させること
を特徴とする（１）に記載の画像形成装置。
（３）
前記第２のクリーニングモードは、前記第１のクリーニングモードとは異なるクリーニング動作を実行すること
を特徴とする（２）に記載の画像形成装置。
【発明の効果】
【００１０】
本発明は、通常の印刷と縁なし印刷が混在した一連の画像形成作動を行う場合に、１ページ単位で縁なし印刷か否かを判断することにより、縁なし印刷を実行したと判断した時は、制御手段は、例えば、転写部である転写ローラに対して転写紙からはみ出したトナーをクリーニングする縁なし印刷用のクリーニング制御を行うフルブリード印刷制御を実行するようにしたので、通常の印刷と縁なし印刷が混在しても、効率的な転写ローラのクリーニングと転写紙の搬送が連携して行え、生産性を低下させることなく高品位な画像が形成できる画像形成装置を提供できる。
【００１４】
また、縁なし印刷情報出力手段は、１ページ単位で、記録媒体のサイズと前記記録媒体に形成される画像のサイズのそれぞれの長さを比較し、何れか一方の画像のサイズの長さが記録媒体のサイズの長さより大きいと判断した場合に、縁なし印刷情報を出力することにより、確実に記録媒体からはみ出した画像があることを簡単に検出して縁なし印刷が実行されたことが判断でき、フルブリード印刷制御を実行できるので生産性を低下させることなく高品位な画像が形成できる画像形成装置を提供できる。
【００１６】
また、フルブリード印刷制御は、画像形成手段に対して縁なし印刷を実行させた場合に、クリーニング手段に対して縁なし印刷用の第２のクリーニングモードを実行させることにより、クリーニングモードを使い分けて、生産性を低下させることなく高品位な画像が形成できる画像形成装置を提供できる。
【００１７】
また、第２のクリーニングモードは、第１のクリーニングモードとは異なるクリーニング動作、例えば、第１のクリーニングモードを複数回繰り返したり、第１のクリーニングモードとは異なるクリーニング動作を組み合わせたりすることにより、確実に記録媒体からはみ出したトナーをクリーニングできるので、生産性を低下させることなく高品位な画像が形成できる画像形成装置を提供できる。
【発明を実施するための最良の形態】
【００１８】
以下、図面を参照しながら本発明を詳細に説明するが、本発明はこれに限定されるものではない。なお、各図面において、同一符号のものは同一の物を示すものとし、適宜、関連する他の図面を参照して、詳細に説明するものとする。
【００１９】
図１は本発明に係る画像形成装置の概略図、図２は本発明に係る画像形成装置の回路構成を示すブロック図、図３は本発明に係る縁なし印刷モードの設定画面の一例を示し、図４は本発明に係る画像データの累積計数値を検出する検出方法の一例を説明するための模式図、図５は本発明に係るフルブリード印刷制御の一例を説明するためのフローチャート、図６は本発明に係るフルブリード印刷制御実行時の縁なし印刷用のクリーニング制御の一例を説明するための模式図である。
【００２０】
図１により本発明に係る画像形成装置の構成について説明する。
【００２１】
本発明の実施の形態における画像形成装置２０は、電子写真方式の複写機とする。電子写真方式の複写機はよく知られているので、本発明と直接関わりのない部分に関しては簡単に説明する。
【００２２】
２０は画像形成装置、３０は画像形成装置２０に装着された自動原稿送り装置（ＡＤＦ）である。
【００２３】
画像形成装置２０は、筐体１の右側面部に、比較的少量の記録媒体である転写材Ｐを供給するための手差し皿２が設けられ、左側面部には排紙皿３が設けられている。
【００２４】
排紙皿３には、後述する給紙カセット１２や手差し皿２から供給され、画像が形成された転写材Ｐが排紙され積載するようになっている。
【００２５】
なお、転写材Ｐには、普通紙からなる通常の転写紙やＯＨＰシート等からなる特殊な転写紙があるが、本実施の形態においては、特に断りのない限り、普通紙からなる通常の転写紙（単に、転写紙Ｐともいう。）を使用するものとする。
【００２６】
筐体１の底面部には画像形成装置２０を移動できるようにするためのキャスター４が設けられている。
【００２７】
筐体１の前面の上部には、画像形成装置２０を作動させるための表示手段及び操作入力手段としてのコントロールパネルＣＰが設けられている。
【００２８】
コントロールパネルＣＰには、表示手段ＤＰとしての液晶表示装置、あるいは、液晶表示装置にタッチパネル等が組み込まれたタッチパネル式の液晶表示装置がある。
【００２９】
また、記録媒体に対する画像の印刷（コピー、プリントともいう。）をカラー又は白黒の何れにするか等の種々の画像形成条件やコピー枚数や部数あるいは転写紙サイズ等の制御関連情報の入力のために、数値等を入力するキーボードＫＢ、及び、コピー等の一連の画像形成動作を実行させるスタート釦（コピー釦ともいう。）ＳＫ等からなる操作入力手段が入力装置として設けられている。
【００３０】
特に、タッチパネル式の表示手段ＤＰは、表示部に示される数字や文字や記号等が描かれたボタン等の図柄に使用者が触れると、表示部に示される情報の選択や設定等の入力ができるようになっており、入力手段を兼ねている。
【００３１】
特に、本実施の形態においては、転写紙サイズや搬送方向の転写紙の縦・横寸法が、後述する記録媒体のサイズの情報として入力できたり選択設定できるようになっている。また、転写紙Ｐの片面のみに画像を形成する片面モードや転写紙の両面に画像を形成する両面モード、あるいは、転写紙の周辺に設けられた所定の余白の内側の領域内に画像を形成する通常の印刷モード又は転写紙の全面に画像を形成する縁なし印刷モード等の印刷モードを設定することができるようになっている。
【００３２】
筐体１の内部には、制御手段ＥＣ、転写手段８、クリーニング手段９、定着装置１０、画像形成手段１１、画像読取手段１３、給排紙手段１４、および、中間転写体１６等が設けられている。
【００３３】
制御手段ＥＣは、制御回路とも呼ばれ、画像形成装置２０の全ての作動を制御するための手段であり、ＣＰＵ（中央演算装置：Ｃｅｎｔａｌ  Ｐｒｏｃｅｓｓｉｎｇ  Ｕｎｉｔ）等からなる電気回路で構成されている。そして、ＣＰＵに予め記憶された制御プログラムや制御データ等に基づき、画像形成装置２０を構成する全ての手段を駆動制御するようになっている。
【００３４】
また、画像形成装置２０にＡＤＦ３０等の付属装置が接続されている場合は、同様に、制御手段ＥＣは、これらの付属装置と協働して、画像形成装置２０のシステムとして全体が円滑に作動するように駆動制御する。
【００３５】
更に、ＬＡＮ（ローカル・エリア・ネットワーク）等で、パーソナルコンピュータあるいは、他の情報機器等と接続されている場合も、制御手段ＥＣは、これらの機器と協働して、作動に必要な情報の記憶や授受を含め支障なく円滑に駆動制御できるものとする。
【００３６】
画像形成手段１１は、画像情報（図や写真、記号や英数文字を含む。）に基づく画像を形成するための手段である。本実施の形態はタンデム方式と呼ばれており、イエロー（Ｙ）画像を形成する画像形成ユニット１１Ｙ、マゼンタ（Ｍ）画像を形成する画像形成ユニット１１Ｍ、シアン（Ｃ）画像を形成する画像形成ユニット１１Ｃ、黒（Ｋ）画像を形成する画像形成ユニット１１Ｋを、中間転写体１６に沿って上部から下部へと縦方向に順に画像形成装置２０の内部に配置している。
【００３７】
画像形成手段１１を構成する画像形成ユニット１１Ｙ、１１Ｍ、１１Ｃ、１１Ｋは、使用するトナーの色が異なる以外は、同じ作動を行うので、ここでは、イエロー（Ｙ）画像を形成する画像形成ユニット１１Ｙについてのみ記号を付して詳細に説明する。
【００３８】
画像形成ユニット１１Ｙは、例えば、モータ等の駆動源により予め設定された作像方向（例えば、反時計方向）に回転する感光体ドラム（感光体とも言う。）５Ｙ、感光体ドラム５Ｙを一様に帯電する帯電手段６Ｙ、原稿の画像情報（画像データともいう）に基づき信号化され、感光体ドラム５Ｙに静電潜像を形成する露光光ＥＹ、感光体ドラム５Ｙに形成された静電潜像をトナー像として顕像化する現像手段７Ｙ、感光体ドラム５Ｙに形成されたトナー像を中間転写体１６に転写する転写手段８Ｙ（１次転写手段ともいう。）、トナー像が中間転写体１６に転写された後、感光体ドラム５Ｙに残留するトナーや紙粉等を掻き落とすためのクリーニング手段９Ｙ等により構成されている。
【００３９】
そして、それぞれの画像形成ユニットで形成されたトナー像は、例えば、時計方向に回転するベルト状の中間転写体１６（転写ベルトともいう。）に順に転写され重ね合わされるようになっている。
【００４０】
中間転写体１６に転写されたそれぞれの色のトナー像は、転写手段としての転写ローラ８によりトナー像の極性とは逆極性の電荷が転写紙Ｐに付与されて静電気力により中間転写体１６から転写紙Ｐに転写される。
【００４１】
トナー像が転写された転写紙Ｐは、定着装置１０を通過する工程でトナー像が溶融固着（定着）され、Ｙ、Ｍ、Ｃ、Ｋのトナーによるカラー画像が形成された転写紙Ｐは、その後、排紙皿３に排出されるようになっている。
【００４２】
なお、本実施の形態のように、中間転写体を用いた画像形成装置は、それぞれの画像形成ユニットで形成されたトナー像を中間転写体上に重ね合わせることができるので、カラー画像形成装置に広く利用されている。また、中間転写体は画像形成ユニットで形成されたトナー像を転写できるものであれば、転写ベルトに限らず、円筒状上の感光体（感光体ドラムともいう。）であっても良い。
【００４３】
転写手段８は、転写分離手段とも呼ばれ、本実施の形態においては、接触転写方式による転写ローラ８として構成され、感光体ドラム５や中間転写体１６と対向する転写位置に配置されており、感光体ドラム５に形成されたトナー像を中間転写体１６に転写し、また、中間転写体１６上に形成されたトナー像を転写紙Ｐにトナ像の極性とは逆極性の電荷を付与して静電気力で転写するための手段である。
【００４４】
なお、８Ｙ、８Ｍ、８Ｃ、８Ｋ（８Ｙのみ記号を付す。）は、同様の構成で、画像形成ユニット１１Ｙ、１１Ｍ、１１Ｃ、１１Ｋで形成されたトナー像を中間転写体１６に転写するために使用される手段である。
【００４５】
特に、本実施の形態においては、詳細は後述するが、中間転写体１６からトナー像を記録媒体である転写紙Ｐに転写する転写手段８は、中間転写体１６から転写紙Ｐにトナー像を転写した後に、転写ローラ８に付着しているトナーを中間転写体１６に再度転写（転移）させることで、転写ローラをクリーニングするようになっており、例えば、付着しているトナーと同極性または逆極性の電荷を転写ローラに適宜に付与するクリーニング制御を行うようになっている。
【００４６】
クリーニング手段９は、中間転写体１６に残存するトナーや紙粉等を除去するもので、ブレードやブラシローラ等により構成されている。９Ｙ、９Ｍ、９Ｃ、９Ｋ（９Ｙのみ記号を付す。）は、同様の構成で、画像形成ユニット１１Ｙ、１１Ｍ、１１Ｃ、１１Ｋの感光体ドラムをクリーニングするために使用されるクリーニング手段である。
【００４７】
定着装置１０は、図示はしないが、例えば、ヒータを内包する加熱ローラと加圧ローラ等で構成されており、転写紙Ｐに転写されたトナー像を熱（例えば、２００℃程度）と圧力等により溶融固着（定着）するための手段である。
【００４８】
画像読取手段１３は、光源ＬＴ、ミラー群ＭＲ、結像レンズＬＺ等からなる読取光学系と、ＣＣＤ（固体撮像素子）等を含む電気回路からなる読取装置ＥＳとで、構成されている。
【００４９】
読取装置ＥＳは、筐体１の上部に設けられたプラテンガラス（図示せず）上に載置した原稿を走査（スキャンともいう。）して読取ったり、自動原稿送り装置３０により読取位置に搬送された原稿の画像情報を読取り、画像データに変換して、制御手段ＥＣに設けられた記憶手段に画像データを記憶するようになっている。
【００５０】
例えば、ＡＤＦ３０により搬送された原稿を画像読取手段１３で読み取る場合は、読取位置に搬送された原稿を光源ＬＴが照射し、ミラー群ＭＲを介して、原稿からの反射光を結像レンズＬＺにより読取装置ＥＳのＣＣＤ面に結像させ、ＣＣＤの出力する画像情報を画像データとして記憶するようになっている。
【００５１】
給排紙手段１４は、給紙カセット１２と、駆動源としてのモータや複数のローラ等からなる給排紙搬送手段（転写紙搬送手段）として構成されている。
【００５２】
給紙カセット１２は、例えば、特殊な転写紙を収納するカセット１２ａと、普通紙を収納するカセット１２ｂ等とで構成されている。
【００５３】
給排紙手段１４としての給排紙搬送手段は、詳細は後述するが、搬送経路Ａ、Ｂ、Ｃ、Ｄ等を備えており、片面モードや両面モードを実行することが出来るようになっている。
【００５４】
例えば、制御手段ＥＣの指示により、特殊な転写紙、あるいは普通紙を選択した後に、駆動源であるモータを回転させることにより、複数のローラ群等を回転駆動させて、給紙カセット１２から適切なタイミングで中間転写体１６に向けて給紙搬送し、定着装置１０でトナー像が溶融固着（定着）され画像が形成された後に、排紙皿３へ排紙搬送するようになっている。
【００５５】
中間転写体１６は、転写ベルトとも呼ばれ、複数のローラに張架されたベルト状の物で構成されており、本実施の形態においては、図示せぬモータ等の駆動源により、時計方向に回転するようになっている。
【００５６】
なお、中間転写体を用いる場合は、電気的特性（体積抵抗率、表面抵抗率等）、厚さ、構造（例えば、単層、２層、３層等の層数）、材料、材質等は、作像条件などにより適切なものを種々選択して採用することが望ましい。
【００５７】
ＡＤＦ３０は、搬送装置全体がＡＤＦ筐体３１で覆われ、ＡＤＦ筐体３１の外部に原稿載置台３２と排紙部３３が設けられている。
【００５８】
原稿載置台３２には、例えば、第１頁の原稿面（表面）を最上部にした状態の複数の原稿ＷＰが載置される。載置された原稿ＷＰは、複数のローラ等により構成される原稿搬送装置により読取位置に搬送され、読取装置ＥＳで読み取られ、排紙部３３に排紙される。
【００５９】
原稿搬送装置は、図示せぬ駆動制御回路により、画像形成装置２０の制御手段ＥＣと連動して作動するようになっている。
【００６０】
次に、本実施の形態における画像形成作動について説明する。
【００６１】
転写紙Ｐの片面に画像を形成する片面モードの場合は、制御回路ＥＣの後述するＣＰＵ１１０の指示により駆動制御回路１５０が作動し、画像読取手段１３により読み取られた画像データ、あるいは、ＬＡＮ等の通信網により、記憶手段に記憶された画像データに基づき、良く知られた静電写真方式の画像形成ユニット１１Ｙの作動により、イエロー（Ｙ）のトナー像が形成され、中間転写体１６に転写される。
【００６２】
同様に、画像形成ユニット１１Ｍ、１１Ｃ、１１Ｋにより、マゼンタ（Ｍ）、シアン（Ｃ）、黒（Ｋ）のトナー像が形成され、中間転写体１６に転写される。
【００６３】
一方、給紙カセット１２から取り出された１枚の転写紙Ｐは、給排紙手段１４によりＸ１方向から中間転写体１６の近傍に設けられたローラＲ２（レジストローラともいう。）の位置で一旦停止した後に、適切なタイミングで、ローラＲ２により転写紙Ｐは中間転写体１６の方向へと搬送される。
【００６４】
転写紙Ｐが中間転写体１６に近づくと、転写ローラ８が中間転写体１６に接触する方向に作動し、その後、中間転写体１６と転写ローラ８とが対向する転写位置で、中間転写体１６と転写ローラ８とに挟持されるようにして転写紙Ｐが通過するとき、トナー像の極性とは逆極性の電荷が付与され、この静電気力により中間転写体１６上のトナー像が転写紙Ｐの第２面（表面）に転写される。
【００６５】
トナー像が転写された転写紙Ｐは、定着装置１０を通過してトナー像を溶融固着し、Ｘ４方向に搬送され、図１に示す排紙皿３に排紙される。複数枚の転写紙Ｐの片面に画像を形成する場合は、この作動を繰り返して実行することになる。
【００６６】
また、両面コピー（両面モード）を行う場合は、まず、制御手段ＥＣのＣＰＵ１１０は、駆動制御回路１５０により、前述の転写紙Ｐの片面に画像を形成する作動を行わせる。
【００６７】
そして、片面に画像が形成された転写紙Ｐは、定着装置１０を通過した後に、排紙皿３方向（矢印Ｘ４方向）へと搬送され、転写紙Ｐの後端が一対のローラＨＲを通過する寸前に、制御手段ＥＣはローラＨＲの回転を停止する。
【００６８】
引き続いて、ローラＨＲを逆方向に回転させることによりＸ３方向に搬送し、転写紙の表裏を反転させ、搬送経路Ｃ、Ｄを経て搬送経路Ａへと搬送する。
【００６９】
搬送経路Ａに再度進入した転写紙Ｐは、ローラＲ２の位置で一旦停止した後に、適切なタイミングで中間転写体１６方向に搬送され、第１面（裏面）に画像形成手段１１により形成されたトナー像が、片面コピーと同様に、中間転写体１６から転写ローラ８により転写紙Ｐに転写される。
【００７０】
そして、定着装置１０を通過した後、今度は、ローラＨＲが停止することなく、排紙皿３に向けてＸ４方向に転写紙Ｐを搬送して排紙し、１枚の転写紙Ｐの両面コピーを終了する。従って、複数枚の両面コピーが行われる場合は、この工程を繰り返すことになる。
【００７１】
また、本実施の形態においては、前述のように、転写紙の周辺に設けられた所定の余白の内側の領域内に画像を形成する通常の印刷モードや転写紙の全面に画像を形成する縁なし印刷モード等の印刷モードを設定することができるようになっているので、片面モードや両面モードと組み合わせて、一連の画像形成作動の中で記録媒体である転写紙に対して通常の印刷モードや縁なし印刷モードが混在する画像を形成することができる。
【００７２】
次に、図２により、本発明に係る画像形成装置の回路構成について説明する。なお、本実施の形態においては、説明を簡単にするために、画像形成装置が複写機である場合について説明する。
【００７３】
１００は画像形成装置２０全体の各種手段と回路との構成を示している。１１０は画像形成装置全体の制御を行うＣＰＵであり、画像形成装置２０を制御するための各種モードのプログラムやプログラムを実行するために必要なデータ等が予め記憶されている。
【００７４】
ＣＰＵ１１０には、情報制御回路１２０、画像処理回路１４０、駆動制御回路１５０および電源回路４００等が接続されている。そして、これらの回路により図１に示す制御手段ＥＣが構成され、画像形成装置２０全体の制御ができるようになっている。
【００７５】
情報制御回路１２０は、ＣＰＵ１１０の指示により、インタフェース（Ｉ／Ｆ）１３０を介して外部情報機器５００と接続して、文字や画像等の画像情報や画像形成等に必要な転写紙サイズや画像の濃度や倍率等の設定情報を入力し記憶手段１６０に記憶する。そして、記憶手段１６０に記憶された設定情報等を画像処理回路１４０や駆動制御回路１５０、あるいは表示手段３００等に出力するようになっている。
【００７６】
また、情報制御回路１２０は、外部情報機器５００から入力した画像情報や設定情報等からなるＪＯＢデータ等の情報や、画像処理回路１４０や駆動制御回路１５０等を含む回路や各種手段の作動に必要な指示情報等を判断し、画像形成装置の作動に支障がないように、適宜円滑に画像形成装置の各回路や各種手段に情報を伝達する機能を有している。
【００７７】
なお、外部情報機器５００は、主としてコンピュータやインターネット・サーバーであるが、場合によっては、ローカル・エリア・ネットワーク（ＬＡＮ）上の他の画像形成装置、あるいは、デジタル・カメラや計測した情報を出力可能な計測装置等の情報機器が想定される。
【００７８】
また、本実施の形態においては、情報制御回路１２０は、後述する記憶手段１６０に記憶された、例えば、１頁当たりの画像データや記録媒体である転写紙に関するデータから転写紙サイズや画像サイズを取得できるようになっている。
【００７９】
例えば、転写紙のＡ４、Ｂ４等のデータが記憶されていれば転写紙の縦・横寸法を求めることができるし、Ａ４（縦）の転写紙に１頁当たりの画像情報を形成するようにした画像データが記憶されていれば画像の縦・横寸法を求めることができ、それぞれ求めたデータを転写紙のサイズ（転写紙サイズともいう。）や画像のサイズ（画像サイズともいう。）として記憶手段１６０に記憶することができる。
【００８０】
また、例えば、幅検出手段としての幅検出センサーを設けて、搬送されている転写紙の縦・横寸法のデータを検出して、転写紙サイズや画像サイズを取得することができる。
【００８１】
また、転写紙サイズや画像サイズは、例えば、外部情報機器５００から制御回路ＥＣの情報制御回路１２０を介して記憶手段１６０に入力される画像情報とともに取得したり、コントロールパネルＣＰの操作入力手段により転写紙サイズや画像サイズをデータとして入力させることにより取得することもできる。また、転写紙サイズは、転写紙を収納する給紙カセットから転写紙サイズを取得することもできる。
【００８２】
さらに、詳細は後述するが、情報制御回路１２０は、フルブリード印刷制御を実行する手段としても機能する。
【００８３】
フルブリード印刷制御とは、例えば、外部情報機器５００から１ページ単位で入力された画像情報としての画像データあるいは転写紙サイズや画像サイズのデータ等に基づき、画像形成手段１１により形成された画像が記録媒体である転写紙Ｐからはみ出しているか否かを検出することにより、画像がはみ出していることが検出された場合は縁なし印刷が実行されたと判断して、縁なし印刷が実行された場合は、転写ローラ８に対して転写紙Ｐからはみ出して付着したトーナをクリーニングするために、通常の印刷時のクリーニングとは異なる縁なし印刷時用のクリーニング制御を行うことを言う。
【００８４】
また、縁なし印刷時用のクリーニング制御は、転写紙Ｐからはみ出して転写ローラに付着した多量のトーナをクリーニングする必要があり、例えば、付着しているトナーと同極性または逆極性の電荷を複数回付与して、付着したトナーを中間転写体１６に転移させるクリーニング制御を行うことを言う。
【００８５】
従って、縁なし印刷時用のクリーニング制御は、通常の印刷時のクリーニング作動時間より長いクリーニング作動時間を必要とするため、縁なし印刷が実行された場合、つまり、フルブリード印刷制御においては、縁なし印刷時用のクリーニング制御に必要な時間に対応して、次に搬送されてくる転写紙Ｐの搬送間隔を長くするように制御している。
【００８６】
インタフェース（Ｉ／Ｆ）１３０は、情報授受手段であり、前述のコンピュータや他の画像形成装置、インターネット・サーバー等の外部情報機器５００と各種ネットワークを介して接続できるように構成されている。
【００８７】
操作入力手段２００は、画像形成装置２０のコントロールパネルＣＰに設けられた入力装置である。前述したタッチパネル式の表示手段である液晶表示装置ＤＰやキーボードＫＢ、及び、スタート釦ＳＫ等が想定される。また、操作入力手段２００は、場合によっては、画像形成装置２０の各種作動モードを設定するための入力手段にもなる。例えば、設定入力できる操作モードとしては、カラーモード、白黒モード、あるいは印刷に関しては片面印刷モードと両面印刷モード、転写紙の排紙搬送に関してはフェイスアップ排紙モード、フェイスダウン排紙モード等が設けられている。
【００８８】
特に、本実施の形態においては、通常の印刷モードや縁なし印刷モードをタッチパネル式の液晶表示装置ＤＰで選択設定することができるようになっている。
【００８９】
表示手段３００は、前述の液晶表示装置、あるいは、液晶表示部にタッチパネル等が組み込まれた表示装置ＤＰ等により構成されている。
【００９０】
表示手段３００には、操作入力手段２００で情報を入力する際の操作手順や各種情報の一覧表示、あるいは記憶手段１６０に記憶された情報の表示、画像形成装置２０の作動中の状態表示や警告表示等が表示されるようになっている。
【００９１】
画像処理回路１４０は、ＣＰＵ１１０の指示により、画像読取手段１３が読み取った原稿の画像情報をデジタル変換して、画像データとして記憶手段１６０に記憶させたり、記憶手段１６０に記憶されている画像データに基づき画像形成手段１１が画像を形成する際に、画像形成手段１１の画像形成方式に適したデータや信号等に変換する回路である。
【００９２】
駆動制御回路１５０は、ＣＰＵ１１０の指示により、画像処理回路１４０と協働して、転写手段８、定着手段１０、画像形成手段１１、画像読取手段１３、給排紙手段１４、及び、ＡＤＦ３０等を、予め設定された作動モードに基づき、適切なタイミングで作動させ画像形成作動を行なわせるための回路である。
【００９３】
転写手段８としての転写ローラは、駆動制御回路１５０により作動され、中間転写体１６に重ね合わされたトナー像の極性とは逆極性の電荷を付与して転写紙Ｐにトナー像を転写する作動を行うようになっている。８Ｙ、８Ｍ、８Ｃ、８Ｋは画像形成ユニット１１Ｙ、１１Ｍ、１１Ｃ、１１Ｋで、感光体ドラム５に形成されたトナー像を中間転写体１６に転写する作動を行う。
【００９４】
また、中間転写体１６から転写紙Ｐにトナー像を転写させる転写手段８としての転写ローラは、転写ローラ８に付着しているトナーと同極性または逆極性の電荷を転写ローラに適宜に付与するようになっており、クリーニング制御に関しては後述する。
【００９５】
定着装置１０は、駆動制御回路１５０の指示により、転写紙Ｐに転写されたトナー像を熱と圧力等により溶融固着（定着）する。
【００９６】
画像形成手段１１は、ＣＰＵ１１０の指示により、駆動制御回路１５０により作動され、画像処理回路１４０が記憶手段１６０に記憶された画像データに基づき、それぞれの画像形成ユニット１１Ｙ、１１Ｍ、１１Ｃ、１１Ｋで、それぞれの色のトナー像を感光体ドラム５に形成して、形成されたトナー像を中間転写体１６に転写するようになっている。
【００９７】
画像読取手段１３は、駆動制御回路１５０により作動され、読取位置に搬送された原稿の画像情報を読取装置ＥＳで読み取り、読み取られた画像情報は、例えば、画像処理回路１４０により、デジタルの画像データに変換して、記憶手段１６０に記憶するようになっている。
【００９８】
給排紙手段１４は、ＣＰＵ１１０に予め設定されたプログラムに基づき、駆動制御回路１５０により、転写手段８、定着装置１０、及び画像形成ユニット１１等と協働して作動し、転写紙Ｐを円滑にタイミング良く搬送する作動を行う。
【００９９】
自動原稿送り装置（ＡＤＦ）３０は、図１に示すように、原稿載置台３２に載置された原稿を原稿搬送装置により自動的に１枚づつ読取位置に搬送する装置で、画像形成装置２０のＣＰＵ１１０の指示により、駆動制御回路１５０と連携して作動する。
【０１００】
記憶手段１６０は、画像を形成するために必要な画像データ及び画像形成装置２０を制御するための設定条件等からなるＪＯＢデータ、及び、各種設定モードのプログラム等の情報を記憶するようになっている。
【０１０１】
電源回路４００は、使用者の操作により、電源スイッチ（図示せず）が投入されると、電源から適切な通電が画像形成装置全体に行われ、電源スイッチが遮断されると、通電が遮断されるようになっている。
【０１０２】
なお、電源スイッチが投入（ＯＮ）されていても、例えば、画像形成装置を待機状態にする省電モード等の場合は、ＣＰＵ１１０の指示により、一時的なメモリの記憶内容等の保存のために必要な通電のみを継続し、定着装置のヒータ等の他の通電を遮断することができるようになっている。
【０１０３】
また、電源スイッチにより電源が遮断（ＯＦＦ）された場合も、前述の画像形成装置を待機状態にする省電モード等の場合のように、全ての電源を遮断するのではなく、ＣＰＵ１１０等が作動するために必要な通電は行い、電源スイッチが投入（ＯＮ）されたり、ＬＡＮを介して画像情報が入力された場合等に対応して、素早く画像形成作動等が開始できるようにしても良い。
【０１０４】
次に、記録媒体から画像がはみ出しているか否かを検出する検出方法について説明する。縁なし印刷を指示したページを検出する検出方法には大別すると３つの方法がある。
【０１０５】
第１の方法としては、例えば、使用者が操作入力手段２００により縁なし印刷モードを選択し、縁なし印刷を実行するページを指定した場合は、縁なし印刷が指定されたページを検出することにより、検出されたページは記録媒体から画像がはみ出していることを検出することができる。
【０１０６】
具体的には、例えば、図３（Ａ）に示す操作入力手段２００のタッチパネル式の表示画面により「フルブリード印刷」ボタンを指で押して次に「ＯＫ」ボタンを押すことにより縁なし印刷モードを設定すると、図３（Ｂ）図に示すページ設定画面が表示される。
【０１０７】
ページ設定画面のページ範囲設定部ＰＳにはページ範囲をキーボードＫＢを使用して入力するようになっており、フルブリード設定部ＦＢでは縁なし印刷を実行する場合は「オン」を、実行しない場合（通常の印刷）は「オフ」を選択する。そして、設定された内容は表示部ＤＳに表示されるようになっている。
【０１０８】
例えば、ページ数が８ページの原稿を印刷する時、５ページのみ縁なし印刷を行う場合は、ページ範囲設定部ＰＳにＰ１−Ｐ４と入力しフルブリード設定部ＦＢでオフを選択、次に、ページ範囲設定部ＰＳにＰ５と入力しフルブリード設定部ＦＢでオンを選択、さらに、ページ範囲設定部ＰＳにＰ６−Ｐ８と入力しフルブリード設定部ＦＢでオフを選択し、「ＯＫ」ボタンを押すことにより通常の印刷と縁なし印刷とが混在したフルブリード印刷の混合設定を実行することができる。
【０１０９】
従って、情報制御回路１２０は例えば５ページを印刷するときに、縁なし印刷情報を出力するので、駆動制御回路１５０は画像形成手段１１により縁なし印刷を行い、転写手段８は転写紙にトナー像を転写した後に、縁なし印刷用のクリーニング制御を行い、給排紙手段１４は縁なし印刷用のクリーニング制御と連携して、次の転写紙の搬送間隔を長く制御して、フルブリード印刷制御を実行するようになっている。
【０１１０】
第２の方法としては、外部情報機器５００から画像形成装置２０に入力されてきた１ページ単位の画像情報から画像がはみ出していることを検出することができる。つまり、外部情報機器５００から入力される１頁単位の画像情報は、例えば、Ａ４（縦）の転写紙に対して１頁単位でレイアウトされた画像に関する画像データとして送信されてくるので、この１頁単位の画像データに基づき、画像を形成する際の主走査方向又は副走査方向に関する寸法について分析すれば、転写紙サイズや画像サイズが検出でき、検出された転写紙サイズと画像サイズを比較することにより記録媒体から画像がはみ出しているか否かを検出することができる。
【０１１１】
具体的には、外部情報機器５００から画像形成装置２０に入力されてきた１ページ単位の画像情報を情報制御回路１２０は一旦、画像データとして記憶手段１６０に記憶する。次に、１ページ単位で画像形成を実行する際に、記憶手段１６０から読み出した１ページ単位の画像データは画像処理回路１４０で、画像を形成する際の主走査方向又は副走査方向に関する画像の寸法が求められ画像サイズを決定する。また、入力された画像データを印刷する転写紙が、例えばＡ４（縦）と設定されていたとすると２１０ｍｍ（横）×２９７ｍｍ（縦）の転写紙サイズが決定するので、情報制御回路１２０は、この転写紙サイズと画像サイズを比較して、画像サイズが大きいと判断した場合は、情報制御回路１２０は、縁なし印刷情報を出力し、駆動制御回路１５０は、画像形成手段１１と転写手段８と給排紙手段１４に対して、前述のフルブリード印刷制御を実行するように指示する。
【０１１２】
第３の方法としては、外部情報機器５００から画像形成装置２０に入力されてきた１ページ単位の画像情報としての画像データに関して、画像が形成される転写紙の周辺の予め設定した範囲に存在する画像データを計数して累積計数値とし、この累積計数値と記録媒体のサイズに対応して予め設定された閾値とを比較することにより、累積計数値が大きい場合に記録媒体から画像がはみ出していることを検出することができる。
【０１１３】
図４により、累積計数値により画像のはみ出しを検出する方法について説明する。
【０１１４】
図４は、矢印Ｘ方向に転写紙Ｐが搬送され、例えば「Ａ」の画像が形成される状態を示している。一点鎖線で示されたＧ１は転写紙Ｐに対して、例えば＋３ｍｍ大きな画像検出領域を示し、破線で示されたＧ２は例えば−３ｍｍ小さな画像検出領域を示示しており、この転写紙Ｐに対して±３ｍｍの領域に画像があるか否かを検出するようにしている。
【０１１５】
ＷＹは主走査方向の画像データ計数領域を示し、ＷＹ１，ＷＹ２は共に転写紙Ｐの幅ＰＹに対して±３ｍｍに設定されている。同様に、ＷＸは幅走査方向の画像データ計数領域を示し、ＷＸ１，ＷＸ２は共に転写紙Ｐの長さＰＸに対して±３ｍｍに設定されている。
【０１１６】
ＨＩ、Ｈ２、Ｈ３は、縁なし印刷を実行した場合に、転写紙Ｐからはみ出した画像の部分を示している。
【０１１７】
実際には、画像のはみ出しの検出は電気回路内で処理される。例えば、記憶手段１６０から読み出された画像データを画像処理回路１４０に入力すると、図４に示すようなＧ１とＧ２に囲われた領域の画像データを主走査方向と副走査方向とにより計数して累積計数値を算出する。そして、検出されたＨ１、Ｈ２、Ｈ３の画像データの累積計数値が予め設定された閾値より大きい場合は、画像がはみ出していると情報制御回路１２０が判断して、縁なし印刷情報を出力し、駆動制御回路１５０は、画像形成手段１１と転写手段８と給排紙手段１４に対して、前述のフルブリード印刷制御を実行するように指示する。
【０１１８】
なお、画像検出領域を転写紙Ｐの±３ｍｍの範囲に規制した理由は、転写紙Ｐが搬送中に傾く可能性があり、仮に傾いた場合でも、はみ出した画像を検出できるように傾きを考慮して設定したものである。勿論、画像検出領域は本実施の形態における±３ｍｍに限定するものではなく、対象となる画像形成装置に適した画像検出領域を適宜に設定しても良い。
【０１１９】
なお、一点鎖線で示されたＧ１のように、転写紙Ｐの外側の領域を規制したのは、画像形成装置２０に送られてくる画像データの中には、転写紙Ｐに形成する画像以外の画像の画像データが含まれた状態で送られてくる可能性があるので、このような転写紙Ｐに画像を形成しない画像データをはみ出した画像として誤って計数しないようにするために設けたものである。
【０１２０】
また、通常の印刷では、破線で示されたＧ２の内側の領域に画像が形成されるようになっているので、転写紙Ｐから画像がはみ出すことはない。
【０１２１】
次に、図５により、画像のはみ出しを検出してフルブリード印刷制御を行う手順について説明する。前提として、画像のはみ出しは、前述の累積計数値により検出するものとする。
【０１２２】
（ＳＴ１）
転写紙サイズを読み出すステップである。情報制御回路１２０は、記憶手段１６０に１ページ単位の画像データとして記憶されているデータの中から転写紙に関するデータを抽出して、画像のはみ出しの検出の基準となる図４に示す転写紙Ｐのサイズを設定するとＳＴ２に進む。
【０１２３】
（ＳＴ２）
±３ｍｍ領域の有効画素数を計数するステップである。つまり、転写紙Ｐの外周に設定された±３ｍｍの領域内の画像データを主走査方向と副走査方向とにより計数して累積計数値を算出するようにしている。
【０１２４】
ここでは、実際に計数する画像データとして画像を形成する画素を計数することにしている。従って、カラーの画像の場合は、Ｙ（イエロー）、Ｍ（マゼンタ）、Ｃ（シアン）、Ｋ（黒）の各色の画素があるので、各色の画素について計数してＳＴ３に進む。なお、各色の画素数は記憶手段１６０に記憶しておくことが望ましい。
【０１２５】
（ＳＴ３）
有効画素数の総和を算出するステップである。それぞれの色について計数された画素数をを加算して累積計数値としての有効画素数を算出するとＳＴ４に進む。なお、有効画素数は記憶手段１６０に記憶しておくことが望ましい。
【０１２６】
（ＳＴ４）
プリンタモードか否かを判断するステップである。出力モードがプリンタモードであればＳＴ５に進み、コピアモードであればＳＴ６に進む。
【０１２７】
つまり、画像形成装置２０は、例えば、プラテンガラス上又はＡＤＦの原稿載置台に原稿を載置して複写機として機能する場合は、コピアモードとして機能し、外部情報機器５００から入力された画像データにより画像を形成する場合はプリンタモードとして機能するようになっている。
【０１２８】
コピアモードの場合は、原稿を読み取るために原稿に対して光源から光を照射するようになっているが、光を照射した時に、原稿の端面部の影が原稿の端面部近傍の余白部分に生じる現象が発生することがあり、影が発生した場合は、画像のはみ出しを検出する時に、この影を原稿のはみ出し部分と認識することがあるので、コピアモードの場合は、後述する閾値の値を若干大きくしている。
【０１２９】
しかしながら、プリンタモードの場合は、転写紙サイズや画像がデータとして送られて来るため、コピアモードのように影を生じる等の現象が発生しないので、出力モードがプリンタモードの場合の閾値（第２の閾値）はコピアモードの場合の閾値（第１の閾値）より閾値の値が小さく設定されている。従って、どちらの閾値を使用するかを判断するために、このステップで、どちらの出力モードが設定されているかを判断するようにしている。
【０１３０】
（ＳＴ５）
第１の閾値を読出すステップである。プリンタモードの場合はコピアモードの場合の閾値（第２の閾値）より小さく設定されている閾値を記憶手段１６０から読み出しＳＴ７に進む。
【０１３１】
（ＳＴ６）
第２の閾値を読出すステップである。コピアモードの場合はプリンタモードの場合の閾値（第１の閾値）より大きく設定されている閾値を記憶手段１６０から読み出しＳＴ７に進む。
【０１３２】
（ＳＴ７）
有効画素数の総和が閾値より大きいか否かを判断するステップである。情報制御回路１２０は、累積計数値としての有効画素数の総和が閾値より大きいと判断した場合は、転写紙Ｐから画像がはみ出していることを示すので、縁なし印刷が実行されたと判断して、縁なし印刷情報を出力してＳＴ８に進み、大きくない場合は縁なし印刷が実行されなかった、つまり、通常印刷制御（通常の印刷の制御）が実行されたものと判断してＳＴ９に進む。
【０１３３】
（ＳＴ８）
フルブリード印刷制御を実行するステップである。情報制御回路１２０の出力する縁なし印刷情報に基づき、駆動制御回路１５０は画像形成手段１１により縁なし印刷を行い、転写手段８は転写紙にトナー像を転写した後に、縁なし印刷用のクリーニング制御を行い、給排紙手段１４は縁なし印刷用のクリーニング制御と連携して、次の転写紙の搬送間隔を長く制御して、フルブリード印刷制御を実行するとＳＴ１０に進む。
【０１３４】
（ＳＴ９）
通常の印刷の制御を行うステップである。通常の印刷の制御を実行してＳＴ１０に進む。
【０１３５】
（ＳＴ１０）
全ページの画像形成が終了したか否かを判断するステップである。本実施の形態におけるフルブリード印刷制御は、１頁単位で実行されるので、画像形成が実行されていないページが残っている場合はＳＴ１に戻り、全てのページの画像形成が実行された場合は修了するようになっている。
【０１３６】
次に、図６により、フルブリード印刷制御実行時の縁なし印刷用のクリーニング制御について説明する。
【０１３７】
図６（Ａ）は、転写ローラ８近傍付近における先行する転写紙Ｐ１と次の転写紙Ｐ２との関係を示している。図６（Ｂ）は中間転写体１６と転写ローラ８との関係を模式的に示したものである。
【０１３８】
図６（Ａ）に示すように、転写紙Ｐ１、Ｐ２が矢印方向に搬送されているとすると、先行する転写紙Ｐ１に対して縁なし印刷が実行された場合、転写ローラ８に転写紙Ｐ１からはみ出したトナーＴが付着する。
【０１３９】
従って、本実施の形態においては、駆動制御回路１５０は、先行する転写紙Ｐ１に対する中間転写体１６上のトナー画像が転写され、転写紙Ｐ１の後端部が転写ローラ８から離れた後に、ｆの区間において波形Ｗとして示すように転写ローラ８に対して、トナー画像と同極性の電界またはそれとは逆極性の電界を定電流電源ＥＳにより交互に、例えば、２〜３．５サイクル程度の複数サイクル付与して、転写ローラ８に付着したトナーＴを中間転写体１６に転移させるようにしている。また、中間転写体１６に転移したトナーＴは、その後、図１に示すクリーニング手段９でクリーニングされるようになっている。
【０１４０】
なお、転写ローラ８に対して、どの程度の電界を付与するか、また、何サイクル程度付与するか等の電界付与条件は、対象となる画像形成装置や転写ローラの機能や性能等を考慮して、適宜に設定することが望ましい。
【０１４１】
また、フルブリード印刷制御におけるクリーニング動作を実行させる場合には、上述のクリーニング動作とは異なるクリーニング動作を更に組合せて実行させるようにしても良い。
【０１４２】
以上のように、本発明の実施の形態において、記録媒体である転写紙から画像がはみ出していることを、例えば前述の３つの検出方式の何れかにより検出することにより、縁なし印刷が実行されたと判断し、縁なし情報が出力されたときに、転写ローラに付着したトナーを中間転写体に転移させる縁なし印刷用のクリーニング制御を行い転写ローラをクリーニングするフルブリード印刷制御について説明したが、本発明の実施の形態においては、縁なし印刷が実行されたことが検出された時、速やかに転写ローラにはみ出して付着したトナーをクリーニングして、生産性を低下させずに次の転写紙への高品位な画像形成ができるようにするものである。
【０１４３】
従って、転写紙から画像がはみ出していることを検出する検出方式は前述の３方式に限定するものではなく、また、フルブリード印刷制御における縁なし印刷用のクリーニング制御も本実施の形態に限定するものではない。
【０１４４】
そして、通常の印刷と縁なし印刷が混在した一連の画像形成作動を行う場合に、縁なし印刷を実行したと判断した時は、制御手段は、フルブリード印刷制御を実行するようにしたので、通常の印刷と縁なし印刷が混在しても、効率的な転写ローラのクリーニングと転写紙の搬送が連携して行え、生産性を低下させることなく高品位な画像が形成できる画像形成装置を提供できるようになった。
【０１４５】
また、縁なし印刷情報出力手段は、記録媒体の周辺の予め設定した範囲内に存在する画像データを計数した累積計数値と閾値とを比較したり、記録媒体のサイズと前記記録媒体に形成される画像のサイズのそれぞれの長さを比較ししたりして、１ページ単位で、記録媒体からはみ出した画像データがあると判断した場合に、縁なし印刷情報を出力するようにしたことにより、確実に縁なし印刷が実行されたことが判断でき、フルブリード印刷制御を実行できるので生産性を低下させることなく高品位な画像が形成できる画像形成装置を提供できるようになった。
【０１４６】
また、縁なし印刷情報出力手段は、入力設定手段により入力された１ページ単位の縁なし印刷指示情報に基づき、縁なし印刷情報を出力することにより、使用者が希望するページに対して確実にフルブリード印刷制御を実行できるので生産性を低下させることなく高品位な画像が形成できる画像形成装置を提供できるようになった。
【０１４７】
また、画像形成手段に対して縁なし印刷を実行させた場合に、クリーニング手段に対して縁なし印刷用の第２のクリーニングモードを実行させるフルブリード印刷制御をおこなうことにより、クリーニングモードを使い分けて、生産性を低下させることなく高品位な画像が形成できる画像形成装置を提供できるようになった。
【０１４８】
なお、画像形成装置が複写機の場合について説明したが、縁なし印刷が実行できるものであれば、画像形成装置は複写機に限らず、プリンタやファクシミリ装置、あるいは、これらの複合機であっても良いことは言うまでもない。
【図面の簡単な説明】
【０１４９】
【図１】本発明に係る画像形成装置の概略図。
【図２】本発明に係る画像形成装置の回路構成を示すブロック図。
【図３】本発明に係る縁なし印刷モードの設定画面の一例を示す模式図。
【図４】本発明に係る画像データのはみ出しを検出する検出方法の一例を説明するための模式図。
【図５】本発明に係るフルブリード印刷制御の一例を説明するためのフローチャート。
【図６】本発明に係るフルブリード印刷制御実行時の縁なし印刷用のクリーニング制御の一例を説明するための模式図。
【符号の説明】
【０１５０】
１  筐体
２  手差し皿
３  排紙皿
４  キャスター
５  感光体ドラム
６  帯電手段
７  現像手段
８  転写手段
９  クリーニング手段
１０  定着装置
１１  画像形成手段
１２  給紙カセット
１３  画像読取手段
１４  給排紙手段
１６  中間転写体
２０  画像形成装置
３０  自動原稿送り装置
【図１】
0004645357.tif 000002
【図２】
0004645357.tif 000003
【図３】
0004645357.tif 000004
【図４】
0004645357.tif 000005
【図５】
0004645357.tif 000006
【図６】
0004645357.tif 000007